(57)【要約】      （修正有）【課題】動画撮影中、ユーザが望む重要なシーンは、汎用フォーマット動画で記録するとともに、高画質なＲＡＷ動画でも記録する撮像装置、その制御方法及びプログラムを提供する。【解決手段】撮像装置は、光学センサから取り出したＲＡＷデータを記録するＲＡＷ動画記録手段と、ＲＡＷデータを現像処理をして汎用フォーマット動画として記録する汎用フォーマット動画記録手段を有する。動画撮影中に、汎用フォーマット動画のみで記録をする第一の記録手段と、第一のトリガを検出するトリガ検出手段と、第一の記録手段で記録中に、第一のトリガが検出されたときは、汎用フォーマット動画を記録するとともに高画質なＲＡＷ動画での記録を並行して行う。【選択図】図９
2017028466.tif 000002
【特許請求の範囲】
【請求項１】
光学センサから取り出したＲＡＷデータを記録するＲＡＷ動画記録手段と、前記ＲＡＷデータを現像処理をして汎用フォーマット動画を記録する汎用フォーマット動画記録手段を有する撮像装置において、
撮影中に、前記汎用フォーマット動画のみで記録をする第一の記録手段と、第一のトリガを検出するトリガ検出手段と、
前記第一の記録手段で記録中に、前記第一のトリガが検出されたときは、汎用フォーマット動画の記録とともに前記ＲＡＷ動画の記録も行う第二の記録手段を行い、
前記第二の記録手段で記録中に、第二のトリガが検出されたときは、前記第二の記録手段を終了し、前記第一の記録手段に戻ることを特徴とする撮像装置。
【請求項２】
記憶媒体の記録可能な残り容量を取得する残り容量取得手段と、
汎用フォーマット動画とＲＡＷ動画の単位時間当たりの記録容量を取得する動画記録容量取得手段と、
残り容量と動画記録容量から、記憶媒体に記録可能な残り時間を算出する残り記録可能時間算出手段と、
残り記録可能時間を、ディスプレイに表示する表示手段と、
を備えたことを特徴とする請求項１に記載の撮像装置。
【請求項３】
汎用フォーマット動画のみで記録する第一の記録手段と並行して、リングバッファを用いて現在より所定時間分前までのＲＡＷ動画を保持するＲＡＷ動画一時保持手段と、
第一の記録手段と前記ＲＡＷ動画一時保持手段で記録中に、前記第一のトリガが検出されたときは、汎用フォーマット動画の記録とともに、前記ＲＡＷ動画一時保持手段で記録されたＲＡＷ動画を書き出した上で、ＲＡＷ動画の記録を行う第二の記録手段と、
を備えたことを特徴とする請求項１に記載の撮像装置。
【請求項４】
人物が写っているかどうかを判別し、写っている場合は、これを第一のトリガとして、ＲＡＷ動画の記録を行い、その後に、人物が写らなくなった時に、これを第二のトリガとしてＲＡＷ動画の記録を終了することを特徴とする請求項１に記載の撮像装置。
【請求項５】
ＲＡＷ動画に対して汎用フォーマット動画のファイル名と汎用フォーマット動画記録開始日時と汎用フォーマット動画記録終了日時をメタデータとして付加することを特徴とする請求項１に記載の撮像装置。
【請求項６】
汎用フォーマット動画に対してＲＡＷ動画のファイル名とＲＡＷ動画の記録開始日時とＲＡＷ動画の記録終了日時をメタデータとして付加することを特徴とする請求項１に記載の撮像装置。
【請求項７】
汎用フォーマット動画への現像時に使用したパラメータをＲＡＷ動画に記録することを特徴とする請求項１に記載の撮像装置。
【請求項８】
第一の記録手段で記録中に、前記第二のトリガが検出されたときは、記憶媒体の容量からＲＡＷ動画の記録モードを判定し、汎用フォーマット動画の記録とともに記録モードに応じたＲＡＷ動画の記録も行うことを特徴とする請求項１に記載の撮像装置。
【請求項９】
ＲＡＷ動画の記録モードとは、無圧縮モードと圧縮モードであり、記憶媒体の容量が所定値以下の場合は、圧縮モードを選択することを特徴とする請求項８に記載の撮像装置。
【発明の詳細な説明】
【技術分野】
【０００１】
本発明は、撮影中に互いに異なる記録形式の画像データを複数生成し、記録する撮像装置及びその制御方法に関する。
【背景技術】
【０００２】
デジタルビデオカメラにおいて、撮像素子から出力され、A/D変換された画像データに対して、画像加工処理（現像処理）をせずに、そのまま動画ファイルとして記憶媒体に記録するＲＡＷ動画撮影というものがある。一方、デジタルビデオカメラにおいて、撮像素子から出力されA/D変換された画像データに対して画像加工処理（現像処理）を行い、汎用フォーマットとして記憶媒体に記録する汎用フォーマット動画撮影というものがある。具体的な記録形式としてはMOVやMP4がある。ここで、画像加工処理とは、撮影時にカメラで取得した属性情報や画像情報本体の特性に基づき、Debayer処理、画像の補間処理、ホワイトバランス処理、輝度調整処理、色調整処理、シャープネス処理などの画像処理を行い、さらに圧縮処理を行うことを指す。
【０００３】
ＲＡＷ動画の特徴としては以下の２つが挙げられる。
・圧縮処理を行わないため、汎用フォーマット動画と比較してファイルサイズが非常に大きい。
・現像処理済みの汎用フォーマット動画に対して、画像処理を掛けたくても一定範囲までしかできなかったが、ＲＡＷ動画であればユーザが設定したパラメータで高度な画像処理を行うことができる。
【０００４】
もし、ＲＡＷで撮りっぱなしにすると、記憶メディアがの容量に限りがあるため、すぐにデータで満杯になってしまう。よってユーザは、重要でないシーンは汎用フォーマット動画で撮影し、重要なシーンはＲＡＷ動画で撮影するように使い分けることが考えられる。
【０００５】
特許文献１においては、汎用フォーマット動画、ＲＡＷ動画という動画種類ではないが、1種類の動画撮影において、低画質撮影と、高画質撮影という2つのモードを持っている。そして、この2つの撮影モードを重要なシーンかどうかで使い分ける例を開示している。
【先行技術文献】
【特許文献】
【０００６】
【特許文献１】特開２００５−１８４０９５号公報
【発明の概要】
【発明が解決しようとする課題】
【０００７】
しかしながら、撮影を使い分けるという方法では、汎用フォーマット動画で撮影中にＲＡＷ動画を撮りたくなった場合は、汎用フォーマット動画の撮影を停止した上で、ＲＡＷ動画撮影モードに切り替えて、ＲＡＷ動画撮影を開始しなければならなかった。特許文献１においても、常時は低画質で動画撮影しながら、重要な場面だけ高画質な動画で撮影するが、高画質で撮影中は低画質の撮影が停止してしまう課題があった。
【課題を解決するための手段】
【０００８】
上記の課題を解決するために、本発明に係る撮像装置は、
光学センサから取り出したＲＡＷデータを記録するＲＡＷ動画記録手段と、前記ＲＡＷデータを現像処理をして汎用フォーマット動画を記録する汎用フォーマット動画記録手段を有する撮像装置において、
撮影中に、前記汎用フォーマット動画のみで記録をする第一の記録手段と、第一のトリガを検出するトリガ検出手段と、
前記第一の記録手段で記録中に、前記第一のトリガが検出されたときは、汎用フォーマット動画の記録とともに前記ＲＡＷ動画の記録も行う第二の記録手段を行い、
前記第二の記録手段で記録中に、第二のトリガが検出されたときは、前記第二の記録手段を終了し、前記第一の記録手段に戻ることを特徴とする。
【発明の効果】
【０００９】
本発明に係る撮像装置によれば、撮影中は汎用フォーマット動画で記録するが、ユーザが望む重要なシーンは、汎用フォーマット動画とともに、高画質なＲＡＷ動画でも記録することができる。
【図面の簡単な説明】
【００１０】
【図１】本発明の一実施形態に係る撮像装置としてのカメラのブロック図である。
【図２】本発明の一実施形態に係る撮像装置としてのカメラ筐体を示す図である。
【図３】本発明の一実施形態に係る撮像装置としての動画記録の処理の流れの概要図である。
【図４】本発明の一実施形態に係る撮像装置における処理のフローチャートである。
【図５】本発明の一実施形態に係る撮像装置におけるＲＡＷ録画開始処理のフローチャートである。
【図６】本発明の一実施形態に係る撮像装置におけるＲＡＷ録画終了処理のフローチャートである。
【図７】本発明の一実施形態に係る実施例２適用後の撮像装置におけるカメラ筐体を示す図である。
【図８】本発明の一実施形態に係る実施例２適用後の撮像装置におけるカメラのディスプレイを示す図である。
【図９】本発明の一実施形態に係る実施例２適用後の撮像装置における処理のフローチャートである。
【図１０】本発明の一実施形態に係る撮像装置におけるＦｕｌｌＨＤ残り時間表示処理のフローチャートである。
【図１１】本発明の一実施形態に係る撮像装置におけるＦｕｌｌＨＤとＲＡＷ残り時間表示処理のフローチャートである。
【図１２】本発明の一実施形態に係る実施例３適用後の撮像装置における処理のフローチャートである。
【図１３】本発明の一実施形態に係る実施例３適用後の撮像装置におけるＲＡＷ録画開始処理のフローチャートである。
【図１４】本発明の一実施形態に係る実施例３適用後の撮像装置におけるＲＡＷ録画終了処理のフローチャートである。
【図１５】本発明の一実施形態に係る実施例４適用後の撮像装置における処理のフローチャートである。
【図１６】本発明の一実施形態に係る実施例５適用時の汎用フォーマット動画とＲＡＷ動画の時間軸における相対関係を示す図である。
【図１７】本発明の一実施形態に係る実施例５適用時のＲＡＷ動画ファイルの構造を示す図である。
【図１８】本発明の一実施形態に係る実施例５適用後の撮像装置における処理のフローチャートである。
【図１９】本発明の一実施形態に係る実施例６適用時の汎用フォーマット動画とＲＡＷ動画の時間軸における相対関係を示す図である。
【図２０】本発明の一実施形態に係る汎用フォーマット動画ファイルの構造を示す図である。
【図２１】本発明の一実施形態に係る実施例６適用後の撮像装置における処理のフローチャートである。
【図２２】本発明の一実施形態に係る実施例７適用時のＲＡＷ動画ファイルの構造を示す図である。
【図２３】本発明の一実施形態に係る実施例７適用後の撮像装置における処理のフローチャートである。
【図２４】本発明の一実施形態に係る実施例８における撮像装置としての動画記録の処理の流れの概要図である。
【図２５】本発明の一実施形態に係る実施例８適用後の撮像装置におけるＲＡＷ録画開始処理のフローチャートである。
【発明を実施するための形態】
【００１１】
以下、本発明を実施するための形態を図面に基づいて説明する。
【実施例１】
【００１２】
本発明を、撮像装置としてのカメラに適用した例を以下に説明する。
【００１３】
［撮像装置の構成］
図１は本発明の一実施形態に係る撮像装置としてのカメラのブロック図である。図１を用いて、画像情報登録システムの各ブロックの機能の説明をする。
【００１４】
１０１は光学センサである。CCD（Charge-coupled device）やCMOＳ（Complementary MOＳ）に代表されるように、受光素子が光から電気信号に変換するものである。１０２は入力装置である。ボタンやタッチパネルなどユーザの入力を受け付ける入力デバイスである。１０３はリムーバブルメディアであり、着脱可能な記録媒体を装着し、データを記録したり、記録したデータを読み書きすることを可能とする。１０４は通信モジュールであり、有線ケーブルもしくは、無線LANで他のユニットと通信を行うことができる。
【００１５】
１０５は撮像装置全体の制御をつかさどるＣＰＵ（Ｃｅｎｔｒａｌ ＰｒｏｃｅＳＳｉｎｇ Ｕｎｉｔ）である。１０６はＣＰＵ１０５の動作手順（例えばカメラの電源をＯＮにした時の処理や基本入出力等のプログラム）を記憶しているＲＯＭ（Ｒｅａｄ Ｏｎｌｙ Ｍｅｍｏｒｙ）である。１０７はＲＡＭ（Ｒａｎｄｏｍ  ＡｃｃｅＳＳ  Ｍｅｍｏｒｙ）であり、ＣＰＵ１０５のメインメモリとして機能する。ＲＡＭ１０７には後述の処理を実現するための制御プログラムを含む各種処理を実行する際のワークエリアを提供する。１０８はディスプレイであり、ＣＰＵ１０５の制御下で各種表示を行う。例えば、リムーバブルメディアに保存されている画像を一覧表示する。
【００１６】
［撮像装置の操作部材］
本実施形態による撮像装置として動作するカメラの操作部材について図２を用いて説明する。図２は本発明の一実施形態に係る撮像装置としてのカメラ筐体を示す図である。
【００１７】
２０１はカメラ筐体であり、この筐体に各種ボタンやディスプレイが配置されている。２０２はカメラの電源ボタンである。ユーザが電源ボタンを押す度にＣＰＵ１０５はカメラの電源のＯＮ、ＯＦＦの切り替え指示があったものと判定して、電源のＯＮ、ＯＦＦを切り替える。２０３はディスプレイ１０８として機能する液晶画面であり、ＣＰＵ１０５が撮影中の画像や、リムーバブルメディア１０３に記録した画像や、メニュー画面を表示する。
【００１８】
２０４はシャッターボタンであり、ユーザが撮像するタイミングで押下すると、ＣＰＵ１０５は撮像指示があったものと判定し、ＣＰＵ１０５は光学センサ１０１に結像した情報をデジタル変換し、画像データとしてリムーバブルメディア１０３に記録する。２０５はモード切り替えスイッチである。モードには、ユーザから撮像操作を受理する撮像モードとユーザから画像再生操作を受理する再生モードがある。ユーザがスイッチを左へスライドするとＣＰＵ１０５は撮影モードへのモード切り替えがあったものと判定する。ユーザがスイッチを右へスライドするとＣＰＵ１０５は再生モードへのモード切り替えがあったものと判定する。
【００１９】
２０６は方向ボタンである。モード切り替えスイッチ２０５で再生モードが選択されている時、ＣＰＵ１０５はリムーバブルメディア１０３に記録されている画像を液晶画面２０３に表示する。方向ボタンを押下することで、ＣＰＵ１０５はリムーバブルメディア１０３に記録されている画像を順送りまたは逆送りで、順次液晶画面２０３に表示する。２０７は決定ボタンである。液晶画面２０３にメニュー画面が表示されている時に、方向ボタン２０６の押下によってメニューの選択中の項目を移動させることができる。ユーザが決定ボタン２０７を押下したことを受けて、ユーザが選択したメニュー項目の情報をＣＰＵ１０５に通知する。
【００２０】
２０８はＦｕｌｌＨＤ動画録画開始ボタンである。モード切り替えスイッチ２０５が撮影モードに設定されている状態で、ユーザがＦｕｌｌＨＤ動画録画開始ボタン２０８を押下すると、ＣＰＵ１０５は汎用フォーマット動画の録画を開始する。ここでＦｕｌｌＨＤ（Ｆｕｌｌ  Ｈｉｇｈ  definition）とは走査線1080本以上の動画フォーマットであり、汎用フォーマット動画のひとつとして定義する。
【００２１】
２０９はＦｕｌｌＨＤ動画停止ボタンである。汎用フォーマット動画の録画中に、ユーザが汎用フォーマット動画停止ボタンを押下すると、ＣＰＵ１０５は汎用フォーマット動画の録画を停止する。
【００２２】
２１０はＲＡＷ動画録画開始ボタンである。モード切り替えスイッチ２０５が撮影モードに設定されている状態で、且つ汎用フォーマット動画録画中に、ユーザがＲＡＷ動画録画開始ボタン２１０を押下すると、ＣＰＵ１０５はＲＡＷ動画の録画を開始する。
【００２３】
２１１はＲＡＷ動画停止ボタンである。ＲＡＷ動画の録画中に、ユーザがＲＡＷ動画停止ボタンを押下すると、ＣＰＵ１０５はＲＡＷ動画の録画を停止する。
【００２４】
なお、実施例１の説明を簡潔にするために、ＲＡＷ動画の録画中に汎用フォーマット動画の録画の終了はできないものとする。
【００２５】
［動画の記録方法］
以下、本実施例における撮像装置において、汎用フォーマット動画とＲＡＷ動画の記録方法について説明する。図３は本発明の一実施形態に係る撮像装置としての動画記録の処理の流れの概要図である。
【００２６】
３０１は光学センサである。光学センサは受光素子が光から電気信号に変換するものである。３０２はＡ／Ｄ変換処理を行うユニットである。光学センサから得られた電気信号はアナログであるため、量子化することでデジタル回路で使用可能なデジタル信号に変換する。３０３は現像処理を行うユニットである。光学センサからＡ／Ｄ変換処理を通してできた画像に対して、現像処理を行う。現像処理とはＤｅｂａｙｅｒ処理や、画素の補間処理や、ホワイトバランス処理、輝度調整処理、色調整処理、シャープネス処理などを指す。
【００２７】
３０４はエンコード処理を行うユニットである。エンコード処理とは、現像済み画像に対して画質を保ちつつデータ量を減らす圧縮処理を行うことを指す。３０５は記憶媒体Ｘである。ここに生成された汎用フォーマット動画が記録される。３０６は記憶媒体Ｙである。ここに生成されたＲＡＷ動画が記録される。
【００２８】
３０７はスイッチＳＷである。ＳＷ３０７がＯＦＦの状態（図３の（Ａ））であれば、Ａ／Ｄ変換ユニットと記憶媒体Ｙは繋がっていないため、ＲＡＷ動画の記録は行われない。ＳＷ３０７がＯＮの状態（図３の（Ｂ））であれば、Ａ／Ｄ変換ユニットと記憶媒体Ｙは繋がっているため、ＲＡＷ動画の記録が行われる。
【００２９】
汎用フォーマット動画録画時には、光学センサ３０１の受光素子で光から得られた電気信号がＡ／Ｄ変換ユニット３０２、現像ユニット３０３、エンコードユニット３０４の各処理を通して記憶媒体Ｘ３０５に保存される。ＲＡＷ動画録画時には、光学センサ３０１の受光素子で光から得られた電気信号がＡ／Ｄ変換ユニット３０２で変換されたままのデータの状態で、記憶媒体Ｙ３０６に保存される。
【００３０】
よって、ＳＷ３０７が図３の（Ａ）のようにＯＦＦの状態であれば、汎用フォーマット動画のみの録画が行われ、スイッチＳＷ３０７が図３の（Ｂ）のようにＯＮの状態であれば、汎用フォーマット動画とＲＡＷ動画の録画が同時並行して行われることになる。
【００３１】
［撮像装置のフローチャート］
図４は本発明の一実施形態に係る撮像装置におけるフローチャートである。図４を用いて、撮像装置における汎用フォーマット動画とＲＡＷ動画を共に撮影する処理について説明する。
【００３２】
図４のフローチャートはモード切り替えスイッチ２０５が撮影モードに設定された状態で、撮像装置の電源ボタン２０２がＯＮにされたことをトリガに、ＣＰＵ１０５が処理を始める。
【００３３】
ステップＳ４０１において、ＣＰＵ１０５はＦｕｌｌＨＤ録画中フラグを０に、ＲＡＷ録画中フラグを０に設定する。
【００３４】
ステップＳ４０２において、ＣＰＵ１０５はＦｕｌｌＨＤ録画開始ボタン２０８が押下されたかどうかを判定し、ＦｕｌｌＨＤ録画開始ボタン２０８が押下されていれば、ステップＳ４０３へと処理を進める。ステップＳ４０２において、ＣＰＵ１０５はＦｕｌｌＨＤ録画開始ボタン２０８が押下されたかどうかを判定し、ＦｕｌｌＨＤ録画開始ボタン２０８が押下されていなければ、ステップＳ４０６へと処理を進める。
【００３５】
ステップＳ４０３にて、ＣＰＵ１０５はＦｕｌｌＨＤ録画中フラグが0であるどうかを判定し、ＦｕｌｌＨＤ録画中フラグが0であれば、ステップＳ４０４へと処理を進める。
【００３６】
ステップＳ４０４にて、ＣＰＵ１０５はＦｕｌｌＨＤ録画を開始する。
【００３７】
ステップＳ４０５にて、ＣＰＵ１０５はＦｕｌｌＨＤ録画中フラグに１を設定し、ステップＳ４０６へと処理を進める。
【００３８】
ステップＳ４０６において、ＣＰＵ１０５はＲＡＷ録画開始ボタン２１０が押下されたかどうかを判定し、ＲＡＷ録画開始ボタン２１０が押下されていれば、ステップＳ４０７へと処理を進める。ステップＳ４０６において、ＣＰＵ１０５はＲＡＷ録画開始ボタン２１０が押下されたかどうかを判定し、ＲＡＷ録画開始ボタン２１０が押下されていなければ、ステップＳ４１０へと処理を進める。
【００３９】
ステップＳ４０７にて、ＣＰＵ１０５はＦｕｌｌＨＤ録画中フラグが１で且つ、ＲＡＷ録画中フラグが０であるどうかを判定し、ＦｕｌｌＨＤ録画中フラグが１で且つ、ＲＡＷ録画中フラグが０であれば、ステップＳ４０８へと処理を進める。ステップＳ４０７にて、ＣＰＵ１０５はＦｕｌｌＨＤ録画中フラグが１で且つ、ＲＡＷ録画中フラグが０であるどうかを判定し、ＦｕｌｌＨＤ録画中フラグが１でないか、または、ＲＡＷ録画中フラグが０でなければ、ステップＳ４１０へと処理を進める。
【００４０】
ステップＳ４０８にて、ＣＰＵ１０５はＲＡＷ録画開始処理を行う。この処理の詳細は後述する。
【００４１】
ステップＳ４０９にて、ＣＰＵ１０５はＲＡＷ録画中フラグに１を設定し、ステップＳ４１０へと処理を進める。
【００４２】
ステップＳ４１０において、ＣＰＵ１０５はＲＡＷ録画停止ボタン２１１が押下されたかどうかを判定し、ＲＡＷ録画停止ボタン２１１が押下されていれば、ステップＳ４１１へと処理を進める。ステップＳ４１０において、ＣＰＵ１０５はＲＡＷ録画停止ボタン２１１が押下されたかどうかを判定し、ＲＡＷ録画停止ボタン２１１が押下されていなければ、ステップＳ４１４へと処理を進める。
【００４３】
ステップＳ４１１にて、ＣＰＵ１０５はＦｕｌｌＨＤ録画中フラグが１で且つ、ＲＡＷ録画中フラグが１であるどうかを判定し、ＦｕｌｌＨＤ録画中フラグが１で且つ、ＲＡＷ録画中フラグが１であれば、ステップＳ４１２へと処理を進める。ステップＳ４１１にて、ＣＰＵ１０５はＦｕｌｌＨＤ録画中フラグが１で且つ、ＲＡＷ録画中フラグが１であるどうかを判定し、ＦｕｌｌＨＤ録画中フラグが１でないか、または、ＲＡＷ録画中フラグが１でなければ、ステップＳ４１４へと処理を進める。
【００４４】
ステップＳ４１２にて、ＣＰＵ１０５はＲＡＷ録画終了処理を行う。この処理の詳細は後述する。
【００４５】
ステップＳ４１３にて、ＣＰＵ１０５はＲＡＷ録画中フラグに０を設定し、ステップＳ４１４へと処理を進める。
【００４６】
ステップＳ４１４において、ＣＰＵ１０５はＦｕｌｌＨＤ録画停止ボタン２０９が押下されたかどうかを判定し、ＲＡＷ録画停止ボタン２０９が押下されていれば、ステップＳ４１５へと処理を進める。ステップＳ４１４において、ＣＰＵ１０５はＲＡＷ録画停止ボタン２０９が押下されたかどうかを判定し、ＲＡＷ録画停止ボタン２０９が押下されていなければ、ステップＳ４１８へと処理を進める。
【００４７】
ステップＳ４１５にて、ＣＰＵ１０５はＦｕｌｌＨＤ録画中フラグが１で且つ、ＲＡＷ録画中フラグが０であるどうかを判定し、ＦｕｌｌＨＤ録画中フラグが１で且つ、ＲＡＷ録画中フラグが０であれば、ステップＳ４１６へと処理を進める。ステップＳ４１５にて、ＣＰＵ１０５はＦｕｌｌＨＤ録画中フラグが１で且つ、ＲＡＷ録画中フラグが０であるどうかを判定し、ＦｕｌｌＨＤ録画中フラグが１でないか、または、ＲＡＷ録画中フラグが０でなければ、ステップＳ４１８へと処理を進める。
【００４８】
ステップＳ４１６にて、ＣＰＵ１０５はＦｕｌｌＨＤ録画終了処理を行う。
【００４９】
ステップＳ４１７にて、ＣＰＵ１０５はＦｕｌｌＨＤ録画中フラグに０を設定し、ステップＳ４１８へと処理を進める。
【００５０】
ステップＳ４１８にて、ＣＰＵ１０５はカメラの電源ボタン２０２がＯＦＦ状態になったかどうかを判定し、ＯＦＦ状態であれば、このフローチャートを終了する。ステップＳ４１８にて、ＣＰＵ１０５はカメラの電源ボタン２０２がＯＦＦ状態になったかどうかを判定し、ＯＦＦ状態でなければ、ステップＳ４０２へと処理を進める。
【００５１】
図５は本発明の一実施形態に係る撮像装置におけるＲＡＷ録画開始処理のフローチャートである。
【００５２】
図５を用いて、撮像装置におけるＲＡＷ録画開始処理について説明する。図５のフローチャートはステップＳ４０８にてＲＡＷ録画開始処理へ処理が移ったことをトリガにＣＰＵ105が処理を始める。
【００５３】
ステップＳ５０１にて、ＣＰＵ１０５はＳＷ３０１をＯＮにする。
【００５４】
ステップＳ５０２にて、ＣＰＵ１０５は画像データを動画としての記録を開始し、このフローチャートを終了する。
【００５５】
ステップＳ５０１からステップＳ５０２の一連の処理により、図３（Ｂ）で示したように、汎用フォーマット動画とＲＡＷ動画の録画が同時並行して行われることになる。
【００５６】
図６は本発明の一実施形態に係る撮像装置におけるＲＡＷ録画終了処理のフローチャートである。図６を用いて、撮像装置におけるＲＡＷ録画終了処理について説明する。
【００５７】
図６のフローチャートはステップＳ４１２にてＲＡＷ録画終了処理へ処理が移ったことをトリガにＣＰＵ105が処理を始める。
【００５８】
ステップＳ６０１にて、ＣＰＵ１０５はＳＷ３０１をＯＦＦにする。
【００５９】
ステップＳ６０２にて、ＣＰＵ１０５は画像データを動画としての記録を終了し、このフローチャートを終了する。
【００６０】
ステップＳ６０１からステップＳ６０２の一連の処理によりＲＡＷ録画が終了し、図３（Ａ）で示した、汎用フォーマット動画のみの録画が行われることになる。
【００６１】
［撮像装置の動作概要］
以下、実施例１における撮像装置の動作について説明する。
【００６２】
ユーザがカメラの電源ボタン２０２をＯＮにし、カメラを構えて２０８はＦｕｌｌＨＤ動画録画開始ボタンを押下すると、ＣＰＵ１０５はＳＷ３０７がＯＦＦの状態のまま、ＦｕｌｌＨＤ動画での録画を開始する。
【００６３】
ＦｕｌｌＨＤ録画中にユーザがＲＡＷ動画録画開始ボタン２１０を押下すると、ＣＰＵ１０５はＳＷ３０７がＯＮにし、ＦｕｌｌＨＤ動画の録画を継続しつつ、ＲＡＷ動画の録画を開始する。
【００６４】
ＲＡＷ動画録画中にユーザがＲＡＷ動画録画停止ボタン２１1を押下すると、ＣＰＵ１０５はＳＷ３０７をＯＦＦにし、ＲＡＷ動画の録画を終了するが、ＦｕｌｌＨＤ動画の録画は継続する。
【００６５】
ＦｕｌｌＨＤ動画録画中にユーザがＦｕｌｌＨＤ動画特が停止ボタン２０９を押下すると、ＣＰＵ１０５はＦｕｌＨＤ動画の録画を終了する。
【００６６】
以上で、実施例１での、汎用フォーマット動画とＲＡＷ動画の録画を同時並行して行う一連の処理について説明した。この結果、撮影中は、汎用フォーマット動画で記録するが、ユーザが望む決定シーンは、汎用フォーマット動画とともに高精細なＲＡＷ動画でも記録することができる。
【実施例２】
【００６７】
実施例１では、汎用フォーマット動画とＲＡＷ動画の録画を同時並行して行う処理について説明した。実施例２として、実施例１の内容に加えて、録画中ではない状態で、ユーザがＲＡＷ動画残り時間表示ボタンを押下中の状態にすると、ディスプレイにＲＡＷ動画撮影開始した場合の残り撮影可能時間が、汎用フォーマット動画、ＲＡＷ動画共に表示される処理について説明する。
【００６８】
［撮像装置の操作部材］
本実施形態による撮像装置として動作するカメラの操作部材について図７を用いて説明する。図７は本発明の一実施形態に係る実施例２適用後の撮像装置におけるカメラ筐体を示す図である。２０１から２１１は図２における撮像装置としてのカメラ筐体と同一である。７０１はＲＡＷ動画残り時間表示ボタンである。
【００６９】
実施例２においては実施例１における図２の撮像装置としてのカメラ筐体に加えて、ＲＡＷ動画残り時間表示ボタン７０１を備えたものとする。
【００７０】
［ＲＡＷ動画残り時間表示ボタンの動作概要］
本実施形態における、ＲＡＷ動画残り時間表示ボタンの動作について以下に説明する。図８は本発明の一実施形態に係る実施例２適用後の撮像装置におけるカメラのディスプレイ１０８を示す図である。
【００７１】
８０１はディスプレイ１０８におけるＦｕｌｌＨＤ動画のみの録画可能残り時間表示である。
撮像モードでかつ、録画中でないカメラ１０５のディスプレイ１０８にはリムーバブルメディア１０３の残り容量から算出された、ＦｕｌｌＨＤ動画の録画可能残り時間のみが表示されている。
【００７２】
８０２はディスプレイ１０８におけるＦｕｌｌＨＤ動画とＲＡＷ動画の録画可能残り時間表示である。
【００７３】
ここでユーザがＲＡＷ動画残り時間表示ボタン７０１を押下中状態にすると、ＣＰＵ１０５はリムーバブルメディア１０３の残り容量から算出されたＦｕｌｌＨＤ動画とＲＡＷ動画の録画可能時間をディスプレイ１０８に表示する。
【００７４】
さらにここでユーザがＲＡＷ動画残り時間表示ボタン７０１から指を離すと、ＣＰＵ１０５はリムーバブルメディア１０３の残り容量から算出されたＦｕｌｌＨＤ動画のみをディスプレイ１０８に表示する状態に戻る。
【００７５】
［撮像装置のフローチャート］
図９は本発明の一実施形態に係る実施例２適用後の撮像装置における処理のフローチャートである。図９を用いて、実施例２における撮像装置における処理について説明する。なお、図４と同じ処理については、同一の番号を付して、説明を省略する。
【００７６】
図９において、ステップＳ４０1〜Ｓ４１８までは実施例１と同じ処理内容である。
【００７７】
ステップＳ４１４において、ＣＰＵ１０５はＲＡＷ録画停止ボタン２０９が押下されたかどうかを判定し、ＲＡＷ録画停止ボタン２０９が押下されていなければ、ステップＳ９０１へと処理を進める。
【００７８】
ステップＳ４１５にて、ＣＰＵ１０５はＦｕｌｌＨＤ録画中フラグが１で且つ、ＲＡＷ録画中フラグが０であるどうかを判定し、ＦｕｌｌＨＤ録画中フラグが１でないか、または、ＲＡＷ録画中フラグが０でなければ、ステップＳ９０１へと処理を進める。
【００７９】
ステップＳ４１７にて、ＣＰＵ１０５はＦｕｌｌＨＤ録画中フラグに０を設定し、ステップＳ９０１へと処理を進める。
【００８０】
ステップＳ９０１にて、ＣＰＵ１０５はＦｕｌｌＨＤ録画中フラグが０であるどうかを判定し、ＦｕｌｌＨＤ録画中フラグが０であれば、ステップＳ９０２へと処理を進める。ステップＳ９０１にて、ＣＰＵ１０５はＦｕｌｌＨＤ録画中フラグが０であるどうかを判定し、ＦｕｌｌＨＤ録画中フラグが０でなければ、ステップＳ４１８へと処理を進める。
【００８１】
ステップＳ９０２にて、ＣＰＵ１０５はＲＡＷ動画残り時間表示ボタン７０１が押下中の状態であるかどうかを判定し、ＲＡＷ動画残り時間表示ボタン７０１が押下中の状態でなければステップＳ９０３へと処理を進める。ステップＳ９０２にて、ＣＰＵ１０５はＲＡＷ動画残り時間表示ボタン７０１が押下中の状態であるかどうかを判定し、ＲＡＷ動画残り時間表示ボタン７０１が押下中の状態であればステップＳ９０４へと処理を進める。
【００８２】
ステップＳ９０３にて、ＣＰＵ１０５はＦｕｌｌＨＤ残り時間表示処理を行い、ステップＳ４１８へと処理を進める。この処理の詳細は後述する。
【００８３】
ステップＳ９０４にて、ＣＰＵ１０５はＦｕｌｌＨＤとＲＡＷ残り時間表示処理を行い、ステップＳ４１８へと処理を進める。この処理の詳細は後述する。
【００８４】
図１０は本発明の一実施形態に係る撮像装置におけるＦｕｌｌＨＤ残り時間表示処理のフローチャートである。図１０を用いて、撮像装置におけるＦｕｌＨＤ残り時間表示処理について説明する。
【００８５】
図１０のフローチャートはステップＳ９０３にてＦｕｌｌＨＤ残り時間表示処理へ処理が移ったことをトリガにＣＰＵ１０５が処理を始める。
【００８６】
ステップＳ１００１にて、ＣＰＵ１０５は記憶媒体の残り容量を取得する。ここで記憶媒体としてリムーバブルメディア１０３の残り容量を取得する。
【００８７】
ステップＳ１００２にて、ＣＰＵ１０５はＦｕｌｌＨＤ動画の単位時間当たりの容量を取得する。
【００８８】
ステップＳ１００３にて、ＣＰＵ１０５はステップＳ１００１とステップＳ１１０２で得られた情報から記録媒体に記録可能な残り時間を算出する。
【００８９】
ステップＳ１００４にて、ＣＰＵ１０５はディスプレイに残り時間を表示し、このフローチャートを終了する。
【００９０】
図１１は本発明の一実施形態に係る撮像装置におけるＦｕｌｌＨＤとＲＡＷ残り時間表示処理のフローチャートである。図１１を用いて、撮像装置におけるＦｕｌｌＨＤとＲＡＷ残り時間表示処理について説明する。
【００９１】
図１１のフローチャートはステップＳ９０４にてＦｕｌｌＨＤとＲＡＷ残り時間表示処理へ処理が移ったことをトリガにＣＰＵ１０５が処理を始める。
【００９２】
ステップＳ１１０１にて、ＣＰＵ１０５は記憶媒体の残り容量を取得する。ここで記憶媒体としてリムーバブルメディア１０３の残り容量を取得する。
【００９３】
ステップＳ１１０２にて、ＣＰＵ１０５はＦｕｌｌＨＤ動画とＲＡＷ動画の単位時間当たりの容量を取得する。
【００９４】
ステップＳ１１０３にて、ＣＰＵ１０５はステップＳ１００１とステップＳ１１０２で得られた情報から記録媒体に記録可能な残り時間を算出する。
【００９５】
ステップＳ１１０４にて、ＣＰＵ１０５はディスプレイに残り時間を表示し、このフローチャートを終了する。
【００９６】
以上で、実施例２での、録画中ではない状態で、ユーザがＲＡＷ動画残り時間表示ボタンを押下中の状態にすると、ディスプレイにＲＡＷ動画撮影開始した場合の残り撮影可能時間が、汎用フォーマット動画、ＲＡＷ動画共に表示される処理について説明した。この結果、撮影開始の前から、ＲＡＷ動画で撮影した場合での残り撮影可能時間をユーザが知ることができるため、ＦｕｌｌＨＤ動画録画中にＲＡＷ動画録画を開始すると録画ができる時間が想定よりも短くなり、ユーザが所望するシーンを全て撮影できなくなる虞を回避することができる。
【００９７】
なお、録画中ではない状態でＲＡＷ残り時間表示するケースについて説明したが、ＦｕｌｌＨＤ動画録画中にＲＡＷ残り時間を表示するようにしてもよいものとする。
【実施例３】
【００９８】
実施例１では、汎用フォーマット動画とＲＡＷ動画の録画を同時並行して行う処理について説明した。実施例３として、実施例１の内容に加えて、ＲＡＷ動画録画開始ボタン押下の数秒前からの動画もＲＡＷに残す処理について説明する。
【００９９】
［撮像装置のフローチャート］
図１２は本発明の一実施形態に係る実施例３適用後の撮像装置における処理のフローチャートである。図１２を用いて実施例３における撮像装置における処理について説明する。なお、図４と同じ処理については、同一の番号を付して、説明を省略する。
【０１００】
図１２において、ステップＳ４０１〜Ｓ４０７、ステップＳ４０９〜Ｓ４１１、ステップＳ４１３〜Ｓ４１８までは実施例１と同じ処理内容である。
【０１０１】
ステップＳ４０５にて、ＣＰＵ１０５はＦｕｌｌＨＤ録画中フラグに１を設定し、ステップＳ１２０１へと処理を進める。
【０１０２】
ステップＳ１２０１にて、ＣＰＵ１０５は図３におけるＳＷ３０１をＯＮに設定する。
【０１０３】
ステップＳ１２０２にて、ＣＰＵ１０５はリングバッファにＲＡＷ録画を開始し、ステップＳ４０６へと処理を進める。ここで録画されるＲＡＷ動画は、光学センサ３０１から得られ、Ａ／Ｄ変換３０２で変換されたデータである。
【０１０４】
ステップＳ４０７にて、ＣＰＵ１０５はＦｕｌｌＨＤ録画中フラグが１で且つ、ＲＡＷ録画中フラグが０であるどうかを判定し、ＦｕｌｌＨＤ録画中フラグが１で且つ、ＲＡＷ録画中フラグが０であれば、ステップＳ１２０３へと処理を進める。
【０１０５】
ステップＳ１２０３にて、ＣＰＵ１０５はＲＡＷ録画開始処理を行い、ステップＳ４０９へと処理をすすめる。この処理の詳細は後述する。
【０１０６】
ステップＳ４１１にて、ＣＰＵ１０５はＦｕｌｌＨＤ録画中フラグが１で且つ、ＲＡＷ録画中フラグが１であるどうかを判定し、ＦｕｌｌＨＤ録画中フラグが１で且つ、ＲＡＷ録画中フラグが１であれば、ステップＳ１２０４へと処理を進める。
【０１０７】
ステップＳ１２０４にて、ＣＰＵ１０５はＲＡＷ録画終了処理を行い、ステップＳ４１３へと処理をすすめる。この処理の詳細は後述する。
【０１０８】
図１３は本発明の一実施形態に係る実施例３適用後の撮像装置におけるＲＡＷ録画開始処理のフローチャートである。図１３を用いて、撮像装置におけるＲＡＷ録画開始処理について説明する。
【０１０９】
図１３のフローチャートはステップＳ１２０３にて、ＲＡＷ録画開始処理へ処理が移ったことをトリガにＣＰＵ１０５が処理を始める。
【０１１０】
ステップＳ１３０１にて、ＣＰＵ１０５はリングバッファの内容を記憶領域Ｙ３０６に書き込む。
【０１１１】
ステップＳ１３０２にて、ＣＰＵ１０５は前処理であるステップＳ１３０１で書き出し終了した末端からＲＡＷ動画書き込みを開始し、このフローチャートを終了する。具体的には、リングバッファの内容を記憶領域Ｙ３０６へ転写した際の、リングバッファのデータの末尾のアドレスに対応する、記憶領域Ｙのアドレスの次のアドレスから、光学センサ３０１から得られＡ／Ｄ変換３０２で変換されたデータであるＲＡＷ動画のデータを記録していく。
【０１１２】
図１４は本発明の一実施形態に係る実施例３適用後の撮像装置におけるＲＡＷ録画終了処理のフローチャートである。図１４を用いて、撮像装置におけるＲＡＷ動画終了処理について説明する。なお、図６と同じ処理については、同一の番号を付して、説明を省略する。
【０１１３】
図１４において、ステップＳ６０１〜Ｓ６０２までは実施例６と同じ処理内容である。
【０１１４】
図１４のフローチャートはステップＳ１２０４にて、ＲＡＷ録画終了処理へ処理が移ったことをトリガにＣＰＵ１０５が処理を始める。
【０１１５】
ステップＳ６０２にて、ＣＰＵ１０５は画像データを動画としての記録を終了し、ステップＳ１４０１へと処理を進める。
【０１１６】
ステップＳ１４０１にて、ＣＰＵ１０５はリングバッファを空にし、このフローチャートを終了する。
【０１１７】
以上で、実施例３での、ＲＡＷ動画録画開始ボタン押下の数秒前からの動画もＲＡＷに残す処理について説明した。この結果、ＲＡＷ動画録画開始ボタン押下の数秒前からの動画もＲＡＷ動画として記録されるので、シャッターチャンスにおいてシャッターボタンを押したタイミングが若干秒間に合わなくても、大事なシーンをＲＡＷ動画として記録に残すことができる。
【実施例４】
【０１１８】
実施例１では、汎用フォーマット動画とＲＡＷ動画の録画を同時並行して行う処理について説明した。実施例１ではユーザがＲＡＷ録画開始ボタン押下からＲＡＷ録画終了ボタン押下までＲＡＷ動画録画するが、実施例４としては、人物が写っているシーンのみＲＡＷ動画録画する処理について説明する。
【０１１９】
［撮像装置のフローチャート］
図１５は本発明の一実施形態に係る実施例４適用後の撮像装置における処理のフローチャートである。図１５を用いて実施例４における撮像装置における処理について説明する。なお、図４と同じ処理については、同一の番号を付している。
【０１２０】
図１５において、ステップＳ４０１〜Ｓ４０５、ステップＳ４０７〜Ｓ４０９、ステップＳ４１１〜Ｓ４１８までは実施例１と同じ処理内容である。図１５のフローチャートはモード切り替えスイッチ２０５が撮影モードに設定された状態で、撮像装置の電源ボタン２０２がＯＮにされたことをトリガに、ＣＰＵ１０５が処理を始める。
【０１２１】
ステップＳ４０１において、ＣＰＵ１０５はＦｕｌｌＨＤ録画中フラグを０に、ＲＡＷ録画中フラグを０に設定する。
【０１２２】
ステップＳ４０２において、ＣＰＵ１０５はＦｕｌｌＨＤ録画開始ボタン２０８が押下されたかどうかを判定し、ＦｕｌｌＨＤ録画開始ボタン２０８が押下されていれば、ステップＳ４０３へと処理を進める。ステップＳ４０２において、ＣＰＵ１０５はＦｕｌｌＨＤ録画開始ボタン２０８が押下されたかどうかを判定し、ＦｕｌｌＨＤ録画開始ボタン２０８が押下されていなければ、ステップＳ１５０１へと処理を進める。
【０１２３】
ステップＳ４０３にて、ＣＰＵ１０５はＦｕｌｌＨＤ録画中フラグが0であるどうかを判定し、ＦｕｌｌＨＤ録画中フラグが0であれば、ステップＳ４０４へと処理を進める。ステップＳ４０３にて、ＣＰＵ１０５はＦｕｌｌＨＤ録画中フラグが０であるどうかを判定し、ＦｕｌｌＨＤ録画中フラグが０でなければ、ステップＳ１５０１へと処理を進める。
【０１２４】
ステップＳ４０４にて、ＣＰＵ１０５はＦｕｌｌＨＤ録画を開始する。
【０１２５】
ステップＳ４０５にて、ＣＰＵ１０５はＦｕｌｌＨＤ録画中フラグに１を設定し、ステップＳ１５０１へと処理を進める。
【０１２６】
ステップＳ１５０１にて、ＣＰＵ１０５はカメラが人物を認識したかどうかを判定し、人物を認識した場合はステップＳ４０７へと処理を進める。ここでＣＰＵ１０５は光学センサ３０１から得られ、Ａ／Ｄ変換３０２で変換されたデータの画像に対して、顔検出を行い顔が検出されたことをもって、カメラが人物を認識したものとする。
【０１２７】
ステップＳ１５０１にて、ＣＰＵ１０５はカメラが人物を認識したかどうかを判定し、人物を認識できなかった場合はステップＳ４１１へと処理を進める。
【０１２８】
ステップＳ４０７にて、ＣＰＵ１０５はＦｕｌｌＨＤ録画中フラグが１で且つ、ＲＡＷ録画中フラグが０であるどうかを判定し、ＦｕｌｌＨＤ録画中フラグが１で且つ、ＲＡＷ録画中フラグが０であれば、ステップＳ４０８へと処理を進める。ステップＳ４０７にて、ＣＰＵ１０５はＦｕｌｌＨＤ録画中フラグが１で且つ、ＲＡＷ録画中フラグが０であるどうかを判定し、ＦｕｌｌＨＤ録画中フラグが１でないか、または、ＲＡＷ録画中フラグが０でなければ、ステップＳ４１４へと処理を進める。
【０１２９】
ステップＳ４０８にて、ＣＰＵ１０５はＲＡＷ録画開始処理を行う。
【０１３０】
ステップＳ４０９にて、ＣＰＵ１０５はＲＡＷ録画中フラグに１を設定し、ステップＳ４１４へと処理を進める。
【０１３１】
ステップＳ４１１にて、ＣＰＵ１０５はＦｕｌｌＨＤ録画中フラグが１で且つ、ＲＡＷ録画中フラグが１であるどうかを判定し、ＦｕｌｌＨＤ録画中フラグが１で且つ、ＲＡＷ録画中フラグが１であれば、ステップＳ４１２へと処理を進める。ステップＳ４１１にて、ＣＰＵ１０５はＦｕｌｌＨＤ録画中フラグが１で且つ、ＲＡＷ録画中フラグが１であるどうかを判定し、ＦｕｌｌＨＤ録画中フラグが１でないか、または、ＲＡＷ録画中フラグが１でなければ、ステップＳ４１４へと処理を進める。
【０１３２】
ステップＳ４１２にて、ＣＰＵ１０５はＲＡＷ録画終了処理を行う。
【０１３３】
ステップＳ４１３にて、ＣＰＵ１０５はＲＡＷ録画中フラグに０を設定し、ステップＳ４１４へと処理を進める。
【０１３４】
ステップＳ４１４において、ＣＰＵ１０５はＦｕｌｌＨＤ録画停止ボタン２０９が押下されたかどうかを判定し、ＲＡＷ録画停止ボタン２０９が押下されていれば、ステップＳ４１５へと処理を進める。ステップＳ４１４において、ＣＰＵ１０５はＲＡＷ録画停止ボタン２０９が押下されたかどうかを判定し、ＲＡＷ録画停止ボタン２０９が押下されていなければ、ステップＳ４１８へと処理を進める。
【０１３５】
ステップＳ４１５にて、ＣＰＵ１０５はＦｕｌｌＨＤ録画中フラグが１で且つ、ＲＡＷ録画中フラグが０であるどうかを判定し、ＦｕｌｌＨＤ録画中フラグが１で且つ、ＲＡＷ録画中フラグが０であれば、ステップＳ４１６へと処理を進める。ステップＳ４１５にて、ＣＰＵ１０５はＦｕｌｌＨＤ録画中フラグが１で且つ、ＲＡＷ録画中フラグが０であるどうかを判定し、ＦｕｌｌＨＤ録画中フラグが１でないか、または、ＲＡＷ録画中フラグが０でなければ、ステップＳ４１８へと処理を進める。
【０１３６】
ステップＳ４１６にて、ＣＰＵ１０５はＦｕｌｌＨＤ録画終了処理を行う。
【０１３７】
ステップＳ４１７にて、ＣＰＵ１０５はＦｕｌｌＨＤ録画中フラグに０を設定し、ステップＳ４１８へと処理を進める。
【０１３８】
ステップＳ４１８にて、ＣＰＵ１０５はカメラの電源ボタン２０２がＯＦＦ状態になったかどうかを判定し、ＯＦＦ状態であれば、このフローチャートを終了する。
【０１３９】
ステップＳ４１８にて、ＣＰＵ１０５はカメラの電源ボタン２０２がＯＦＦ状態になったかどうかを判定し、ＯＦＦ状態でなければ、ステップＳ４０２へと処理を進める。
【０１４０】
［撮像装置の動作概要］
以下、実施例４における撮像装置の動作について説明する。
【０１４１】
ユーザがカメラの電源ボタン２０２をＯＮにし、カメラを構えて２０８はＦｕｌｌＨＤ動画録画開始ボタンを押下すると、ＣＰＵ１０５はＳＷ３０７がＯＦＦの状態のまま、ＦｕｌｌＨＤ動画での録画を開始する。
【０１４２】
ＦｕｌｌＨＤ動画録画中にＣＰＵ１０５は随時、カメラの光学センサから得られた画像に対して顔検出を行い、少なくとも１個の顔の顔検出に成功した場合はＦｕｌｌＨＤ動画の録画を継続しつつ、ＲＡＷ動画の録画を開始する。
【０１４３】
ＲＡＷ動画の録画中にＣＰＵ１０５は随時、カメラの光学センサから得られた画像に対して顔検出を行い、顔検出できた顔の数が0個の場合は、ＲＡＷ動画の録画を終了するが、ＦｕｌｌＨＤ動画の録画は継続する。
【０１４４】
ＦｕｌｌＨＤ動画録画中にユーザがＦｕｌｌＨＤ動画特が停止ボタン２０９を押下すると、ＣＰＵ１０５はＦｕｌＨＤ動画の録画を終了する。
【０１４５】
以上で、実施例４での、人物が写っているシーンのみＲＡＷ動画録画する処理について説明した。この結果、ユーザがＲＡＷ動画録画開始ボタンまたはＲＡＷ動画録画終了ボタンを押すことなく、カメラが視野角内に人物が写っているかどうかを判定して、人物が写っている間、ＲＡＷ動画を録画することができる。
【実施例５】
【０１４６】
実施例１では、汎用フォーマット動画とＲＡＷ動画の録画を並行して行う処理について説明した。実施例５として、実施例１の内容に加えて、ＲＡＷ動画に対して汎用フォーマット動画の録画開始日時と録画終了日時をメタデータとして付加する処理について説明する。
【０１４７】
［汎用フォーマット動画とＲＡＷ動画の時間軸関係］
図１６は本発明の一実施形態に係る実施例５適用時の汎用フォーマット動画とＲＡＷ動画の時間軸における相対関係を示す図である。図１６を用いて実施例５における汎用フォーマット動画とＲＡＷ動画の時間軸における相対関係について説明する。
【０１４８】
１６０１は汎用フォーマット動画が録画された期間を示すものである。図１６の横方向は時間軸を意味し、右にいけばいくほど時間が経過していることを表す。汎用フォーマット動画が録画された期間のうち、左端は汎用フォーマット動画録画開始日時を表し、右端は汎用フォーマット動画録画終了日時を表す。
【０１４９】
１６０２はＲＡＷ動画が録画された期間を示すものである。
【０１５０】
ＲＡＷ動画が録画された期間のうち、左端はＲＡＷ録画開始日時を表し、右端はＲＡＷ録画終了日時を表す。
【０１５１】
ＲＡＷ動画録画開始日時が、汎用フォーマット動画録画開始日時よりも前になることはない。同様に、ＲＡＷ動画録画終了日時が、汎用フォーマット動画録画終了日時よりも後になることもない。
【０１５２】
ＲＡＷ動画録画中には、常に汎用フォーマット動画も録画中であるので、このＲＡＷ動画に対応した汎用フォーマット動画の情報をメタデータとしてＲＡＷ動画に付加するのが目的である。汎用フォーマット動画の情報とは、汎用フォーマット動画の録画開始日時と、録画終了日時と、汎用フォーマット動画のファイル名である。
【０１５３】
［ＲＡＷ動画ファイルの構造］
図１７は本発明の一実施形態に係る実施例５適用時のＲＡＷ動画ファイルの構造を示す図である。図１７を用いてＲＡＷ動画ファイルの構造について説明する。
【０１５４】
１７０１はＲＡＷ動画ファイルである。ＲＡＷ動画ファイルの中は２つのブロックに分かれており、ＲＡＷ動画ファイルのヘッダ部のブロックと、ＲＡＷ動画ファイルのデータ部のブロックで構成されている。
【０１５５】
１７０２はＲＡＷ動画ファイルのヘッダ部である。ＲＡＷ動画ファイル１７０１のヘッダ部１７０２には、動画の各種情報をメタデータとして格納することができる。具体的には、ＲＡＷ動画録画開始日時、ＲＡＷ動画録画終了日時である。ＣＰＵ１０５が汎用フォーマット動画の情報として、ＲＡＷ動画ファイル１７０１に汎用フォーマット動画の情報をメタデータとして付与する場合は、ＲＡＷ動画ファイルのヘッダ部１７０２に対して、汎用フォーマット動画録画開始日時、録画終了日時、汎用フォーマット動画のファイル名をメタデータとして書き込むことになる。
【０１５６】
１７０３はＲＡＷ動画ファイルのデータ部である。ＲＡＷ動画ファイルのデータ部にはＲＡＷ動画のデータそのものが格納されている。
【０１５７】
［撮像装置のフローチャート］
図１８は本発明の一実施形態に係る実施例５適用後の撮像装置における処理のフローチャートである。図１８を用いて実施例５における撮像装置における処理について説明する。なお、図４と同じ処理については、同一の番号を付して、説明を省略する。
【０１５８】
図１８において、ステップＳ４０１〜Ｓ４１８までは実施例１と同じ処理内容である。
【０１５９】
ステップＳ４０５にて、ＣＰＵ１０５はＦｕｌｌＨＤ録画中フラグに１を設定し、ステップＳ１８０１へと処理を進める。
ステップＳ１８０１にて、ＣＰＵ１０５は汎用フォーマット動画の録画開始日時と汎用フォーマット動画ファイル名を保持し、ステップＳ４０６へと処理を進める。
【０１６０】
ステップＳ４０９にて、ＣＰＵ１０５はＲＡＷ録画中フラグに１を設定し、ステップＳ１８０２へと処理を進める。
【０１６１】
ステップＳ１８０２にて、ＣＰＵ１０５はＲＡＷ動画の録画開始日時を保持し、ステップＳ４１０へと処理を進める。
【０１６２】
ステップＳ４１３にて、ＣＰＵ１０５はＲＡＷ録画中フラグに０を設定し、ステップＳ１８０３へと処理を進める。
【０１６３】
ステップＳ１８０３にて、ＣＰＵ１０５はＲＡＷ動画ファイルに対して、ＲＡＷ動画録画開始日時とＲＡＷ動画録画終了日時と、それらに加えてステップＳ１８０１にて保持した汎用フォーマット動画ファイル名を書き込む。
ステップＳ１８０４にて、ＣＰＵ１０５はステップＳ１８０３にて書きこんだＲＡＷ動画ファイル名を保持し、ステップＳ４１４へと処理を進める。
【０１６４】
ステップＳ４１７にて、ＣＰＵ１０５はＦｕｌｌＨＤ録画中フラグに０を設定し、ステップＳ１８０５へと処理を進める。
【０１６５】
ステップＳ１８０５にて、ＣＰＵ１０５はステップＳ１８０４にて保持したファイル名のＲＡＷ動画ファイルに対して、ステップＳ１８０１にて保持した汎用フォーマット動画の録画開始日時と汎用フォーマット動画の録画終了日時を書き込み、ステップＳ４１８へと処理を進める。
【０１６６】
以上で実施例５での、ＲＡＷ動画に対して汎用フォーマット動画の録画開始日時と録画終了日時をメタデータとして付加する処理について説明した。この結果、ＲＡＷ動画ファイルに対して、汎用フォーマット動画の録画開始日時と、汎用フォーマット動画の録画終了日時と、汎用フォーマット動画ファイル名が記録されるので、ユーザが撮影後に編集する際に、ＲＡＷ動画ファイルから関連する汎用フォーマット動画を容易に探し出すことができ、且つ、ＲＡＷ動画の録画期間が汎用フォーマット動画の録画期間のどのあたりに位置するのかを知ることができる。
【実施例６】
【０１６７】
実施例１では汎用フォーマット動画とＲＡＷ動画の録画を並行して行う処理について説明した。実施例６として、実施例１の内容に加えて、汎用フォーマット動画に対してＲＡＷ動画の録画開始日時と録画終了日時をメタデータとして付加する処理について説明する。
【０１６８】
［汎用フォーマット動画とＲＡＷ動画の時間軸関係］
図１９は本発明の一実施形態に係る実施例６適用時の汎用フォーマット動画とＲＡＷ動画の時間軸における相対関係を示す図である。図１９を用いて実施例６における汎用フォーマット動画とＲＡＷ動画の時間軸における相対関係について説明する。
【０１６９】
１９０１は汎用フォーマット動画が録画された期間を示すものである。図１９の横方向は時間軸を意味し、右にいけばいくほど時間が経過していることを表す。汎用フォーマット動画が録画された期間のうち、左端は汎用フォーマット動画録画開始日時を表し、右端は汎用フォーマット動画録画終了日時を表す。
【０１７０】
１９０２、１９０３、１９０４はそれぞれＲＡＷ動画が録画された期間を示すものである。
ＲＡＷ動画が録画された期間のうち、左端はＲＡＷ録画開始日時を表し、右端はＲＡＷ録画終了日時を表す。ＲＡＷ動画録画開始日時が、汎用フォーマット動画録画開始日時よりも前になることはない。同様に、ＲＡＷ動画録画終了日時が、汎用フォーマット動画録画終了日時よりも後になることもない。汎用フォーマット動画録画中に同時並行して撮影されたＲＡＷ動画の情報をメタデータとして汎用フォーマット動画に付加するのが目的である。ＲＡＷ動画の情報とは、ＲＡＷ動画の録画開始日時と、録画終了日時と、ＲＡＷ動画のファイル名である。
【０１７１】
［汎用フォーマット動画ファイルの構造］
図２０は本発明の一実施形態に係る汎用フォーマット動画ファイルの構造を示す図である。図２０を用いて汎用フォーマット動画ファイルの構造について説明する。
【０１７２】
２００１は汎用フォーマット動画ファイルである。汎用フォーマット動画ファイルの中は２つのブロックに分かれており、汎用フォーマット動画ファイルのヘッダ部のブロックと、汎用フォーマット動画ファイルのデータ部のブロックで構成されている。
【０１７３】
２００２は汎用フォーマット動画ファイルのヘッダ部である。汎用フォーマット動画ファイル２００１のヘッダ部２００２には、動画の各種情報をメタデータとして格納することができる。具体的には、汎用フォーマット動画録画開始日時、汎用フォーマット動画録画終了日時である。ＣＰＵ１０５がＲＡＷ動画の情報として、汎用フォーマット動画ファイル２００１にＲＡＷ動画の情報をメタデータとして付与したい場合は、汎用フォーマット動画ファイルのヘッダ部２００２に対して、ＲＡＷ動画録画開始日時、録画終了日時、ＲＡＷ動画のファイル名をメタデータとして書き込むことになる。
【０１７４】
ここで、ひとつの汎用フォーマット動画と同時並行して撮影されるＲＡＷ動画はひとつとは限らず、複数個のＲＡＷ動画が撮影されることもある。そのため、汎用フォーマット動画ファイルのヘッダ部２００２に、複数のＲＡＷ動画の録画開始日時、録画終了日時、ＲＡＷ動画のファイル名が書き込まれるケースもある。
【０１７５】
２００３は汎用フォーマット動画ファイルのデータ部である。汎用フォーマット動画ファイルのデータ部には汎用フォーマット動画のデータそのものが格納されている。
【０１７６】
［撮像装置のフローチャート］
図２１は本発明の一実施形態に係る実施例６適用後の撮像装置における処理のフローチャートである。図２１を用いて実施例６における撮像装置における処理について説明する。なお、図４と同じ処理については、同一の番号を付して、説明を省略する。
【０１７７】
図２１において、ステップＳ４０１〜Ｓ４１８までは実施例１と同じ処理内容である。
【０１７８】
ステップＳ４０５にて、ＣＰＵ１０５はＦｕｌｌＨＤ録画中フラグに１を設定し、ステップＳ２１０１へと処理を進める。
【０１７９】
ステップＳ２１０１にて、ＣＰＵ１０５は汎用フォーマット動画ファイル名を保持する。
【０１８０】
ステップＳ２１０２にて、ＣＰＵ１０５は汎用フォーマット動画の録画開始日時を保持し、ステップＳ４０６へと処理を進める。
【０１８１】
ステップＳ４０９にて、ＣＰＵ１０５はＲＡＷ録画中フラグに１を設定し、ステップＳ２１０３へと処理を進める。
【０１８２】
ステップＳ２１０３にて、ＣＰＵ１０５はステップＳ２１０１にて保持したファイル名の汎用フォーマット動画に対してＲＡＷ動画の録画開始日時を書き込み、ステップＳ４１０へと処理を進める。
【０１８３】
ステップＳ４１３にて、ＣＰＵ１０５はＲＡＷ録画中フラグに０を設定し、ステップＳ２１０４へと処理を進める。
【０１８４】
ステップＳ２１０４にて、ＣＰＵ１０５はステップＳ２１０１にて保持したファイル名の汎用フォーマット動画に対してＲＡＷ動画の録画終了日時とＲＡＷ動画ファイル名を書き込み、ステップＳ４１４へと処理を進める。
【０１８５】
ステップＳ４１７にて、ＣＰＵ１０５はＦｕｌｌＨＤ録画中フラグに０を設定し、ステップＳ２１０５へと処理を進める。
【０１８６】
ステップＳ２１０５にて、ＣＰＵ１０５は汎用フォーマット動画ファイルに対して汎用フォーマット動画の録画開始日時と、汎用フォーマット動画の録画終了日時を書き込み、ステップＳ４１８へと処理を進める。
【０１８７】
以上で実施例６での、汎用フォーマット動画に対してＲＡＷ動画の撮影開始日時と終了日時をメタデータとして付加する処理について説明した。この結果、汎用フォーマット動画ファイルに対して、ＲＡＷ動画の録画開始日時と、ＲＡＷ動画の録画終了日時と、ＲＡＷ動画ファイル名が記録されるので、ユーザが撮影後に編集する際に、汎用フォーマット動画ファイルから関連するＲＡＷ動画を容易に探し出すことができ、且つ、ＲＡＷ動画の録画期間が汎用フォーマット動画の録画期間のどのあたりに位置するのかを知ることができる。
【実施例７】
【０１８８】
実施例１では、汎用フォーマット動画とＲＡＷ動画の録画を並行して行う処理について説明した。実施例７として、実施例１の内容に加えて、ＲＡＷ動画録画中に、汎用フォーマット動画への現像に使用したパラメータをＲＡＷ動画ファイルへ記録する処理について説明する。
【０１８９】
［ＲＡＷ動画ファイルの構造］
図２２は本発明の一実施形態に係る実施例７適用時のＲＡＷ動画ファイルの構造を示す図である。図２２を用いてＲＡＷ動画ファイルの構造について説明する。
【０１９０】
２２０１はＲＡＷ動画ファイルである。ＲＡＷ動画ファイルの中は２つのブロックに分かれており、ＲＡＷ動画ファイルのヘッダ部のブロックと、ＲＡＷ動画ファイルのデータ部のブロックで構成されている。
【０１９１】
２２０２はＲＡＷ動画ファイルのヘッダ部である。ＲＡＷ動画ファイル２２０１のヘッダ部２２０２には、動画の各種情報をメタデータとして格納することができる。具体的には、ＲＡＷ動画録画開始日時、ＲＡＷ動画録画終了日時である。ＣＰＵ１０５が、汎用フォーマット動画を現像時に使用したパラメータを、ＲＡＷ動画ファイル２２０１にメタデータとして付与したい場合は、ＲＡＷ動画ファイルのヘッダ部２２０２に対して、現像に使用したパラメータをメタデータとして書き込むことになる。ここで汎用フォーマット動画を現像時に使用されるパラメータとしては、露出補正、ホワイトバランス、トーンカーブ、シャープネス、ノイズリダクション、レンズ収差補正などがある。
【０１９２】
２２０３はＲＡＷ動画ファイルのデータ部である。ＲＡＷ動画ファイルのデータ部にはＲＡＷ動画のデータそのものが格納されている。
【０１９３】
［撮像装置のフローチャート］
図２３は本発明の一実施形態に係る実施例７適用後の撮像装置における処理のフローチャートである。図２３を用いて実施例７における撮像装置における処理について説明する。なお、図４と同じ処理については、同一の番号を付して、説明を省略する。
【０１９４】
図２３において、ステップＳ４０１〜Ｓ４１８までは実施例１と同じ処理内容である。
【０１９５】
ステップＳ４０５にて、ＣＰＵ１０５はＦｕｌｌＨＤ録画中フラグに１を設定し、ステップＳ２３０１へと処理を進める。
【０１９６】
ステップＳ２３０１にて、ＣＰＵ１０５は汎用フォーマット動画現像に使用したパラメータを保持し、ステップＳ４０６へと処理を進める。
【０１９７】
ステップＳ４１３にて、ＣＰＵ１０５はＲＡＷ録画中フラグに０を設定し、ステップＳ２３０２へと処理を進める。
【０１９８】
ステップＳ２３０２にて、ＣＰＵ１０５はＲＡＷ動画に対して、汎用フォーマット動画の現像に使用したパラメータを書き込み、ステップＳ４１４へと処理を進める。
【０１９９】
以上で実施例７での、ＲＡＷ動画録画中に、汎用フォーマット動画への現像に使用したパラメータをＲＡＷ動画ファイルへ記録する処理について説明した。この結果、汎用フォーマット動画への現像に使用したパラメータを記録することで、後でＲＡＷ動画を現像する際に、そのパラメータを使わないことで、既に生成済みの汎用フォーマット動画とは異なった効果の動画を現像することができる。
【実施例８】
【０２００】
実施例１では汎用フォーマット動画とＲＡＷ動画の録画を並行して行う処理について説明した。実施例８として、実施例１の内容に加えて、記憶媒体の容量が少ない場合は、ＲＡＷ動画記録を無圧縮モードから圧縮モードに移行する処理について説明する。
【０２０１】
図２４は本発明の一実施形態に係る実施例８における撮像装置としての動画記録の処理の流れの概要図である。図２４を用いて、実施例８における撮像装置としての動画記録の処理の流れについて説明する。なお、図３と同じ処理については同一の番号を付して、説明を省略する。
【０２０２】
図２４において、３０１〜３０６までは実施例１と同じ処理機能を持つユニットである。また図３におけるスイッチＳＷ３０７は図２４ではスイッチＳＷイ３０７と読み替えるものとする。
【０２０３】
２４０１は圧縮処理を行うユニットである。圧縮処理とは光学センサ３０１の受光素子で光から得られた電気信号がＡ／Ｄ変換ユニット３０２を通して出てきた画像データを、画像データの質を損なわずに、データ量を減らした別のデータに変換することである。
【０２０４】
２４０２はスイッチＳＷロである。ＳＷロ２４０２がＯＦＦであれば、Ａ／Ｄ変換ユニット３０２から来たデータは圧縮されることなく、記憶媒体３０６に保存される。ＳＷロ２４０２がＯＮであれば、Ａ／Ｄ変換ユニット３０２から来た画像データは圧縮処理ユニット２４０１を通して、圧縮される。圧縮された画像でーたは記憶媒体３０６に保存される。
【０２０５】
図２５は本発明の一実施形態に係る実施例８適用後の撮像装置におけるＲＡＷ録画開始処理のフローチャートである。図２５を用いて実施例８における撮像装置におけるＲＡＷ録画開始処理について説明する。これは実施例１における図４の本発明の一実施形態に係る撮像装置におけるフローチャートのステップＳ４０８の詳細な処理である。
【０２０６】
図２５のフローチャートはステップＳ４０８にて、ＲＡＷ録画開始処理へ処理が移ったことをトリガにＣＰＵ１０５が処理を始める。
【０２０７】
ステップＳ２５０１にて、ＣＰＵ１０５は記憶媒体の残り容量を取得する。
【０２０８】
ステップＳ２５０２にて、ＣＰＵ１０５は記憶媒体の残り容量が一定値以上であるかどうかの判定を行い、一定値以上であればステップＳ２５０３へと処理を進める。ステップＳ２５０２にて、ＣＰＵ１０５は記憶媒体の残り容量が一定値以上であるかどうかの判定を行い、一定値以上でなければステップＳ２５０４へと処理を進める。
【０２０９】
ステップＳ２５０３にて、ＣＰＵ１０５はＳＷロ２４０２をＯＦＦにして無圧縮モードに設定し、ステップＳ２５０５へと処理を進める。
【０２１０】
ステップＳ２５０４にて、ＣＰＵ１０５はＳＷロ２４０２をＯＮにして圧縮モードに設定し、ステップＳ２５０５へと処理を進める。ステップＳ２５０５にて、ＣＰＵ１０５はＳＷイ３０７をＯＮに設定する。
【０２１１】
ステップＳ２５０６にて、ＣＰＵ１０５は画像データを動画としての記録を開始する。ここで、ＳＷロ２４０２がＯＦＦであれば無圧縮モードであるため、ＣＰＵ１０５はＡ／Ｄ変換ユニット３０２から来た画像データをそのまま記憶媒体３０６に記録する。これは実施例１におけるＲＡＷ動画の記録と同一である。ここで、ＳＷロ２４０２がＯＮであれば圧縮モードであるため、ＣＰＵ１０５はＡ／Ｄ変換ユニット３０２から来た画像データを圧縮処理ユニットで圧縮した上で、記憶媒体３０に記録する。
【０２１２】
以上で、記憶媒体の容量が少ない場合は、ＲＡＷ動画記録を無圧縮モードから圧縮モードに移行する処理について説明した。この結果、記憶媒体の容量が少ない状態で、ＲＡＷ動画録画開始された場合は、圧縮モードでＲＡＷ動画が記録されるため、無圧縮モードと比較して、記憶媒体の容量を節約しつつより長い時間でのＲＡＷ動画録画が可能になる。
【符号の説明】
【０２１３】
１０１  光学センサ、１０２  入力装置、１０３  リムーバブルメディア、
１０４  通信モジュール、１０５  ＣＰＵ
【図１】
2017028466.tif 000003
【図２】
2017028466.tif 000004
【図３】
2017028466.tif 000005
【図４】
2017028466.tif 000006
【図５】
2017028466.tif 000007
【図６】
2017028466.tif 000008
【図７】
2017028466.tif 000009
【図８】
2017028466.tif 000010
【図９】
2017028466.tif 000011
【図１０】
2017028466.tif 000012
【図１１】
2017028466.tif 000013
【図１２】
2017028466.tif 000014
【図１３】
2017028466.tif 000015
【図１４】
2017028466.tif 000016
【図１５】
2017028466.tif 000017
【図１６】
2017028466.tif 000018
【図１７】
2017028466.tif 000019
【図１８】
2017028466.tif 000020
【図１９】
2017028466.tif 000021
【図２０】
2017028466.tif 000022
【図２１】
2017028466.tif 000023
【図２２】
2017028466.tif 000024
【図２３】
2017028466.tif 000025
【図２４】
2017028466.tif 000026
【図２５】
2017028466.tif 000027